(57)【特許請求の範囲】
【請求項１】
２軸延伸ブロー成形手段により壜体(1) に成形されるブロー成形されたプリフォーム(1')であって、口筒部(2) と胴部(5) に成形される胴筒部(5')との間に位置して、肩部(4) に成形される拡径筒部(4')を下方に拡径したテーパー筒状に構成すると共に、底部(7) に成形される球弧底部(7')を略球弧殻状に構成し、前記口筒部(2) の外周面下端に突周設したネックリング(3) に対向する内周面部分に、下位が拡径する拡径段部(3')を形成して成る合成樹脂製２軸延伸ブロー成形壜体成形用のプリフォーム。
【請求項２】
２軸延伸ブロー成形手段により壜体(1) に成形されるブロー成形されたプリフォーム(1')であって、口筒部(2) と胴部(5) に成形される胴筒部(5')との間に位置して、肩部(4) に成形される拡径筒部(4')を下方に拡径したテーパー筒状に構成すると共に、底部(7) に成形される球弧底部(7')を略球弧殻状に構成し、前記胴筒部(5')の球弧底部(7')との接続部分となる下端部を、球弧状に拡径して拡径下端部(6')として成る合成樹脂製２軸延伸ブロー成形壜体成形用のプリフォーム。
【請求項３】
口筒部(2) の外周面下端に突周設したネックリング(3) に対向する内周面部分に、下位が拡径する拡径段部(3')を形成した請求項２記載の合成樹脂製２軸延伸ブロー成形壜体成形用のプリフォーム。
【請求項４】
球弧底部(7')のピンチオフ部(8')に対向する下面部分に、補強リブ条(9')を突条設した請求項１または２または３記載の合成樹脂製２軸延伸ブロー成形壜体成形用のプリフォーム。
【発明の詳細な説明】
【０００１】
【発明の属する技術分野】
本発明は、合成樹脂製壜体に２軸延伸ブロー成形される、予め有底円筒形状に成形された一次成形品としてのプリフォームの内、ブロー成形手段により成形されたプリフォームの構造に関するものである。
【０００２】
【従来の技術】
合成樹脂製２軸延伸ブロー成形壜体成形用の一次成形品であるプリフォームとして、射出成形手段またはブロー成形手段により有底筒状に成形されたものが知られているが、ブロー成形プリフォームは、射出成形プリフォームと比較して、金型を安価に得ることができ、成形可能な形状の自由度が高く、さらに積層構造の採用が簡単である。
【０００３】
それゆえ、ブロー成形プリフォームは、射出成形プリフォームに比べて、設備経費が安価となる分、製品の価格の低減化が容易となり、形状の自由度が高いことにより、壜体の外観形状に適正に適合する形状に成形することができ、さらに積層構造の採用が容易であることから、所望する物性の低下を有効に抑制した状態で、さらなる肉薄化が可能である、と云う作用を発揮できる。
【０００４】
【発明が解決しようとする課題】
しかしながら、上記した従来技術にあっては、壜体の肩部に成形される部分および／または壜体の底部に成形される部分に、肉溜まり（局部的な肉厚部分）が発生し易く、この肉溜まりにより、成形される壜体に偏肉が発生し、全体的な肉厚寸法精度が低下する、と云う問題があった。
【０００５】
そこで、本発明は、上記した従来技術における問題点を解消すべく創案されたもので、プリフォームの局部的な肉溜まりの発生を防止することを技術的課題とし、もって全体的な肉厚寸法精度が高く、これにより外観形状に歪のない壜体を得ることを目的とする。
【０００６】
【課題を解決するための手段】
上記技術的課題を解決する本発明の内、請求項１記載の発明の手段は、
２軸延伸ブロー成形手段により壜体に成形されるブロー成形されたプリフォームであること、
口筒部と、壜体の胴部に成形される胴筒部との間に位置して、壜体の肩部に成形される拡径筒部を下方に拡径したテーパー筒状に構成すると共に、壜体の底部に成形される球弧底部を略球弧殻状に構成すること、
口筒部の外周面下端に突周設したネックリングに対向する内周面部分に、下位が拡径する拡径段部を形成すること、
にある。
【０００７】
また、請求項２記載の発明の手段は、
２軸延伸ブロー成形手段により壜体に成形されるブロー成形されたプリフォームであること、
口筒部と、壜体の胴部に成形される胴筒部との間に位置して、壜体の肩部に成形される拡径筒部を下方に拡径したテーパー筒状に構成すると共に、壜体の底部に成形される球弧底部を略球弧殻状に構成すること、
胴筒部の球弧底部との接続部分となる下端部を、球弧状に拡径して拡径下端部としたこと、
にある。
【０００８】
請求項１記載の発明および請求項２記載の発明にあっては、壜体の肩部に成形される拡径筒部を、下方に拡径したテーパー筒状に構成したので、口筒部の径寸法に対して胴筒部の径寸法の方が大きくなり、その分、プリフォームから壜体に延伸ブロー成形する際における、周方向延伸倍率を低くすることができ、これによりブロー比の大きい壜体であっても、高い安定性と良好な成形性のもとに成形される。
【０００９】
また、壜体の底部に成形される球弧底部を略球弧殻状に構成したので、壜体の底部は周方向に沿って略均等に延伸されて成形されることになり、それゆえ例えこの底部に歪変形が発生したとしても、この歪変形は周方向に沿って均一なものであるので、この歪変形が壜体の外観体裁を劣化させたり、底部が発揮する座り能力を低下させることがない。
【００１０】
請求項１記載の発明にあっては、無延伸部分である口筒部の下端に位置するネックリングに対向する内周面部分に、拡径段部を形成するようにしている、すなわち拡径段部に成形される段部を設けているので、プリフォームのブロー成形時におけるパリソン内へのコアガイドの押し込みにより、ネックリングに対向する内周面部分に肉溜まりが成形される状態となっても、この部分はブロー成形処理により強制的に拡径延伸変形されるので、肉溜まりに成形されることはない。
【００１１】
請求項２記載の発明にあっては、球弧底部に連続する胴筒部の下端部を球弧状に拡径した拡径下端部となっているので、球弧底部は拡径下端部と一緒に一番遅くまで、かつ局部的に集中して延伸変形することになる。
【００１２】
この球弧底部には、パリソンの喰い切り部分であるがために、一般には肉厚であるピンチオフ部が形成されているが、球弧底部の一番遅くまでのかつ局部的に集中した延伸変形により、このピンチオフ部は大きく延ばされることになり、これによりピンチオフ部は、肉厚が減少して肉溜まりを形成することがない。
【００１３】
請求項３記載の発明は、請求項２記載の発明に、口筒部の外周面下端に突周設したネックリングに対向する内周面部分に、下位が拡径する拡径段部を形成したこと、を加えたものである。
【００１４】
請求項３記載の発明にあっては、ネックリングに対向する内周面部分、およびピンチオフ部の両方に、肉溜まりが発生するのを防止することができるので、肉溜まりの全くないブロー成形パリソンを得ることができる。
【００１５】
請求項４記載の発明は、請求項１または２または３記載の発明に、球弧底部のピンチオフ部に対向する下面部分に、補強リブ条を突条設したこと、を加えたものである。
【００１６】
請求項４記載の発明にあっては、ブロー金型によるパリソンの喰い切り時の押し潰しにより溶着成形されるピンチオフ部の内側（球弧底部の内周面側）に、溶着不良により溝状の“ヒケ”が形成されても、この“ヒケ”による溶着面積の減少を補強リブ条で充分に補うので、プリフォームから壜体への２軸延伸ブロー成形時に、ピンチオフ部が破けることがなく、プリフォームから壜体への安定した２軸延伸ブロー成形動作を得ることができる。
【００１７】
【発明の実施の形態】
以下、本発明の実施例を、図面を参照しながら説明する。
図１は、本発明によるプリフォーム１’と、このプリフォーム１’から２軸延伸ブロー成形される壜体１とを一緒に図示した説明図で、プリフォーム１’から壜体１への延伸倍率は、縦方向延伸倍率が２．５〜３．５に、周方向延伸倍率が２．５〜３．５に設定されており、このように縦方向延伸倍率を通常よりも高めることにより、成形安定性を大幅に向上させている。
【００１８】
図２は、押し出し成形された円筒状パリソンＰから有底円筒状にブロー成形された本発明の第１の発明によるプリフォーム１’の実施例を示す、一部破断した全体正面図で、外周面に螺条をまた外周面下端にネックリング３を設けた短円筒状の口筒部２の下端から、下方に拡径したテーパー筒状の拡径筒部４’（壜体１の肩部４に成形される部分）を垂下連設すると共に、この拡径筒部４’の下端から円筒状の胴筒部５’（壜体１の胴部５に成形される部分）を介して、略球殻状の球弧底部７’（壜体１の底部７に成形される部分）を連設し、さらにネックリング３に対向する内周面部分に、下位が拡径する拡径段部３’を形成した構成となっている。
【００１９】
このように、口筒部２と壜体１の肩部４に成形される拡径筒部４’との境界部分であるネックリング３に対向した内周面部分に、下位が拡径する拡径段部３’が成形されるので、パリソンＰのプリフォーム１’へのブロー成形に先立って、（以下、図５参照）エアブローノズルを有するコアガイド１１をパリソンＰの上端部内に押し込んで口筒部２を成形した際に、押し込まれたコアガイド１１により口筒部２の内周面下端部に肉溜まりが形成されようとするが、この肉溜まりとなろうとする部分がブロー成形される拡径段部３’に吸収されてしまい、この口筒部２内周面下端部分に肉溜まりが成形されることはない。
【００２０】
図３は、本発明の第２の発明によるプリフォーム１’の実施例を示す、半縦断した全体正面図で、外周面に螺条をまた外周面下端にネックリング３を設けた短円筒状の口筒部２の下端から、下方に拡径したテーパー筒状の拡径筒部４’を垂下連設すると共に、この拡径筒部４’の下端から円筒状の胴筒部５’を介して、略球殻状の球弧底部７’を連設し、さらに胴筒部５’の下端部を、球弧状に拡径して球弧底部７’に連続した拡径下端部６’とした構成となっている。
【００２１】
このように、ピンチオフ部８’が位置する球弧底部７’に近接して連続する胴筒部５’の下端部分を拡径した拡径下端部６’としたので、ブロー成形時に拡径下端部６’と一緒に球弧底部７’も最後まで延伸変形することになり、これにより肉厚であるピンチオフ部８’も大きく延伸されて、このピンチオフ部８’が肉溜まりを形成することがない。
【００２２】
図４は、本発明の第３の実施例を示す、半縦断しかつ一部を拡大図示した全体正面図で、拡径段部３’および拡径下端部６’を有し、ピンチオフ部８’の球弧底部７’外周面部分に突条構造の補強リブ条９’を設けた構成となっている。
【００２３】
このように、拡径段部３’が設けられているので、口筒部２の内周面下端部に肉溜まりが形成されることがなく、また拡径下端部６’が設けられているので、球弧底部７’のピンチオフ部８’が肉溜まりとなって不良な動作を発揮することがなく、さらに球弧底部７’の内周面のピンチオフ部８’部分に、パリソンＰの溶着不良による“ヒケ”が発生し、その分、溶着強度が低下しても、低下した溶着強度以上の強度を補強リブ条９’で補強することになるので、延伸ブロー成形時にこのピンチオフ部８’が破けることはない。
【００２４】
なお、図示実施例として、単層構造のプリフォーム１’だけを示したが、プリフォーム１’は、単層に限定されることはなく、ブロー成形により成形されるのが有利である積層構造にものであっても良い。
【００２５】
【発明の効果】
本発明は、上記した構成となっているので、以下に示す効果を奏する。
壜体の肩部に成形される部分、または／および、壜体の底部に成形される部分に、肉溜まりを形成することがないので、壜体全体を高い肉厚寸法精度で成形することができ、これにより不良な歪を生じることなく、良好な外観体裁を有する壜体を得ることができる。
【００２６】
胴筒部を延伸変形させて成形し、また球弧底部を略球殻状としたので、壜体への２軸延伸ブロー成形時に高い成形安定性を得ることができ、また底部に成形するのに充分な延伸量を与えることができるので、安定して座機能を発揮する底部を確実に成形することができる。
【００２７】
請求項４記載の発明にあっては、溶着不良によるヒケ発生に伴うピンチオフ部における溶着強度の不足を、確実にかつ強力に補強して、ピンチオフ部の溶着強度を充分に高めることができるので、プリフォームの壜体への２軸延伸ブロー成形を安全にかつ良好に達成させることができる。
【図面の簡単な説明】
【図１】本発明の一実施例の壜体への成形を示す、半断面した説明図。
【図２】本発明の第１の発明の一実施例を示す、要部破断した全体正面図。
【図３】本発明の第２の発明の一実施例を示す、半縦断した全体正面図。
【図４】本発明の他の実施例を示す、一部拡大図示した、全体半縦断面図。
【図５】本発明のパリソンからの成形形態の一例を示す、縦断説明図。
【符号の説明】
１  ；  壜体
１’；  プリフォーム
２  ；  口筒部
３  ；  ネックリング
３’；  拡径段部
４  ；  肩部
４’；  拡径筒部
５  ；  胴部
５’；  胴筒部
６’；  拡径下端部
７  ；  底部
７’；  球弧底部
８’；  ピンチオフ部
９’；  補強リブ条
１０；  ブロー金型
１１；  コアガイド
Ｐ  ；  パリソン
【図１】
0003689788.tif 000002
【図２】
0003689788.tif 000003
【図３】
0003689788.tif 000004
【図４】
0003689788.tif 000005
【図５】
0003689788.tif 000006